(57)【要約】【課題】あるBNP測定法による検体のBNP濃度測定値及びそれとは別のBNP測定法による当該検体のBNP濃度測定値をBNP測定用標準品セットを用いて補正した場合に、従来の標準品を用いてこれらの測定値を補正した場合に比べて、補正後の測定値をより一致させることができる前記BNP測定用標準品セット、及び前記BNP測定用標準品セットを用いる、検体のBNP濃度測定値を補正する方法を提供すること。【解決手段】BNP-32、proBNP及びプロテアーゼ阻害剤を含む標準品を複数含むBNP測定用標準品セットであって、前記各標準品間において、BNP-32/proBNP（モル比）が異なっており、モル比が高い標準品と低い標準品とを対比した場合、モル比が高いものは、低いものと比べて、BNP-32濃度とproBNP濃度との総和量であるBNP濃度がより低い、BNP測定用標準品セット。【選択図】なし【特許請求の範囲】
【請求項１】
BNP-32、proBNP及びプロテアーゼ阻害剤を含む標準品を複数含むBNP測定用標準品セットであって、前記各標準品間において、BNP-32/proBNP（モル比）が異なっており、モル比が高い標準品と低い標準品とを対比した場合、モル比が高いものは、低いものと比べて、BNP-32濃度とproBNP濃度との総和量であるBNP濃度がより低い、BNP測定用標準品セット。
【請求項２】
プロテアーゼ阻害剤がアプロチニンである、請求項１記載のBNP測定用標準品セット。
【請求項３】
少なくとも２つの標準品を含み、第１の標準品のモル比は40/60〜60/40（BNP-32/proBNP）であり、第２の標準品のモル比は15/85〜35/65（BNP-32/proBNP）である、請求項１又は２記載のBNP測定用標準品セット。
【請求項４】
第１の標準品のBNP濃度が20〜75pg/mLであり、第２の標準品のBNP濃度が150〜300pg/mLである、請求項３記載のBNP測定用標準品セット。
【請求項５】
請求項１〜４いずれか記載のBNP測定用標準品セットを含む、BNP測定キット。
【請求項６】
請求項１〜４いずれか記載のBNP測定用標準品セットを用いて算出された補正係数に関する情報を含む、BNP測定キット。
【請求項７】
請求項１〜４いずれか記載のBNP測定用標準品セットを用いることを特徴とする、検体のBNP濃度を測定する方法。
【請求項８】
請求項１〜４いずれか記載のBNP測定用標準品セットを用いることを特徴とする、検体のBNP濃度測定値を補正する方法。
【請求項９】
以下の工程（Ａ）及び（Ｂ）：
（Ａ）前記複数の標準品を用いて、基準となるBNP測定法によるBNP濃度測定値と補正対象のBNP測定法によるBNP濃度測定値の間の補正係数を、補正対象のBNP測定法によるBNP濃度測定値の範囲毎に決定する工程、及び
（Ｂ）前記補正係数を用いて、補正対象のBNP測定法による検体のBNP濃度測定値を補正する工程
を含む、請求項８記載の方法。
【請求項１０】
以下の工程（１）〜（３）：
（１）基準となるBNP測定法及び補正対象のBNP測定法の両方により、第１の標準品及び第２の標準品の両方のBNP濃度を測定する工程、
（２）第１の標準品及び第２の標準品の各々について、以下の比：
［基準となるBNP測定法によるBNP濃度測定値］／[補正対象のBNP測定法によるBNP濃度測定値]
を求め、第１の標準品についての前記比を第１の補正係数として、及び第２の標準品についての前記比を第２の補正係数として、それぞれ決定する工程、及び
（３）前記第１の補正係数及び前記第２の補正係数を基に、補正対象のBNP測定法により測定した検体のBNP濃度測定値である実測値を、以下の数値：
(ｉ)前記実測値が補正対象のBNP測定法による第１の標準品のBNP濃度測定値以下である場合、前記実測値に第１の補正係数を乗じた数値、
(ｉｉ)前記実測値が補正対象のBNP測定法による第１の標準品のBNP濃度測定値より大きく且つ補正対象のBNP測定法による第２の標準品のBNP濃度測定値以下である場合は、前記実測値に以下の式：
第１の補正係数＋［（第２の補正係数−第１の補正係数）／（補正対象のBNP測定法による第２の標準品のBNP濃度測定値−補正対象のBNP測定法による第１の標準品のBNP濃度測定値）］×（実測値−補正対象のBNP測定法による第１の標準品のBNP濃度測定値）
で求めた補正係数を乗じた数値、及び
(ｉｉｉ)前記実測値が補正対象のBNP測定法による第２の標準品のBNP濃度測定値より大きい場合、前記実測値に第２の補正係数を乗じた数値、
に補正する工程、
を含む、請求項８記載の方法。
【発明の詳細な説明】
【技術分野】
【０００１】
本発明は、BNP測定用標準品セット及びこれを用いた検体のBNP濃度測定値を補正する方法に関する。
【背景技術】
【０００２】
BNP(脳性ナトリウム利尿ペプチド)は、血管拡張作用、利尿作用、及びナトリウム利尿作用を有するホルモンであり、交感神経系及びレニン・アルドステロン系を抑制する。
【０００３】
BNPは、心臓に負荷がかかった際に、主として心室から分泌される。健常人の血漿中BNP濃度（proBNPとBNP-32の総和量）は極めて低いが、慢性及び急性心不全患者ではその重症度に応じて著明に増加することから、血漿中BNP濃度の測定は、心不全を含む心臓疾患の病態把握に有用であるとされている。
【０００４】
BNPは、BNP遺伝子からpreproBNP前駆体として転写・翻訳され、シグナルペプチドが切断されてBNP-32の前駆体であるproBNP（proBNP1-108）が生成され、その後、切断されて、N端proBNP（proBNP1-76）と生物学的活性を有するBNP-32（proBNP77-108）が生成される。
【０００５】
血中において、proBNPとBNP-32は一定の割合で存在し、心臓疾患の診断のためのBNP測定キットはproBNPとBNP-32の総和量をBNP濃度測定値として測定するものであり、当該測定キットは心臓疾患等の診断に広く用いられている。
【化１】
2020197531.tif 000002
【０００６】
複数のBNP測定キットにより、同一試料を測定した際の血漿中BNP濃度は、BNP測定キット間で乖離する場合があると言われている（非特許文献１及び非特許文献２）。本来、複数のBNP測定キット間での同一試料の血漿中BNP濃度測定値の乖離はより小さいことが望ましい。たとえば、心臓疾患患者が受診する医療機関を移り、前後の医療機関で異なるBNP測定キットを使用している場合でも、心臓疾患の病態の推移を正確に把握し、治療効果を判定できるよう、BNP測定キット間での血漿中BNP濃度の測定値の差を無くすことが望まれる。  
【０００７】
一般の市販のBNP測定キットの標準曲線作成用の標準品はBNP-32のみで構成されている。非特許文献３では、BNP測定用標準品としてproBNPを用いる方法が示されている。
【０００８】
また、特許文献１では、BNP測定キット間の較正用標準品として、proBNP及びBNP-32が６：４〜４：６（モル比）の単一混合比の混合物を用いる方法が示されている。特許文献２では、proBNP及びBNP-32を含むBNP測定用標準品セットが記載されている。
【先行技術文献】
【特許文献】
【０００９】
【特許文献１】特許第６００８６４５号
【特許文献２】国際公開第２０１９／１３１９８４号
【非特許文献】
【００１０】
【非特許文献１】Clin Chem Lab Med (2009) 47(6):762-768
【非特許文献２】Clinica Chimica Acta (2012) 414:112-119
【非特許文献３】Clinical Biochemistry (2017) 50:181-185
【非特許文献４】核医学技術(1993) 13：2-7
【発明の概要】
【発明が解決しようとする課題】
【００１１】
しかしながら、上記先行技術における標準品へのproBNPとBNP-32の添加比率は、実際の心臓疾患患者におけるproBNPとBNP-32の存在比率を正しく反映したものではなかった。そのため、先行技術が示す標準品を用いたとしても、BNP測定キット間で実検体の測定値にバラツキがあった。
【００１２】
本発明の課題は、あるBNP測定法による検体のBNP濃度測定値及びそれとは別のBNP測定法による当該検体のBNP濃度測定値をBNP測定用標準品セットを用いて補正した場合に、従来の標準品を用いてこれらの測定値を補正した場合に比べて、補正後の測定値をより一致させることができる前記BNP測定用標準品セット、及び前記BNP測定用標準品セットを用いる、検体のBNP濃度測定値を補正する方法を提供することである。
【課題を解決するための手段】
【００１３】
本発明者は、実際の心臓疾患患者におけるproBNPとBNP-32の存在比率を正確に把握するため、多数の検体中のBNP濃度とproBNPの存在比率の関係を検討した。その結果、BNP濃度によってproBNPの存在比率が異なることを見出した。この発見を利用し、BNP濃度が低い標準品として、BNP-32/proBNPのモル比が高いものを含み、BNP濃度が高い標準品として、前記モル比が低いものを含む、BNP測定用標準品セットを用いる本発明を完成させた。
【００１４】
即ち、本発明の要旨は、
〔１〕BNP-32、proBNP及びプロテアーゼ阻害剤を含む標準品を複数含むBNP測定用標準品セットであって、前記各標準品間において、BNP-32/proBNP（モル比）が異なっており、モル比が高い標準品と低い標準品とを対比した場合、モル比が高いものは、低いものと比べて、BNP-32濃度とproBNP濃度との総和量であるBNP濃度がより低い、BNP測定用標準品セット、
〔２〕プロテアーゼ阻害剤がアプロチニンである、〔１〕記載のBNP測定用標準品セット、
〔３〕少なくとも２つの標準品を含み、第１の標準品のモル比は40/60〜60/40（BNP-32/proBNP）であり、第２の標準品のモル比は15/85〜35/65（BNP-32/proBNP）である、〔１〕又は〔２〕記載のBNP測定用標準品セット、
〔４〕第１の標準品のBNP濃度が20〜75pg/mLであり、第２の標準品のBNP濃度が150〜300pg/mLである、〔４〕記載のBNP測定用標準品セット、
〔５〕〔１〕〜〔４〕いずれか記載のBNP測定用標準品セットを含む、BNP測定キット、
〔６〕〔１〕〜〔４〕いずれか記載のBNP測定用標準品セットを用いて算出された補正係数に関する情報を含む、BNP測定キット、
〔７〕〔１〕〜〔４〕いずれか記載のBNP測定用標準品セットを用いることを特徴とする、検体のBNP濃度を測定する方法、
〔８〕〔１〕〜〔４〕いずれか記載のBNP測定用標準品セットを用いることを特徴とする、検体のBNP濃度測定値を補正する方法、
〔９〕以下の工程（Ａ）及び（Ｂ）：
（Ａ）前記複数の標準品を用いて、基準となるBNP測定法によるBNP濃度測定値と補正対象のBNP測定法によるBNP濃度測定値の間の補正係数を、補正対象のBNP測定法によるBNP濃度測定値の範囲毎に決定する工程、及び
（Ｂ）前記補正係数を用いて、補正対象のBNP測定法による検体のBNP濃度測定値を補正する工程
を含む、〔８〕記載の方法、
〔１０〕以下の工程（１）〜（３）：
（１）基準となるBNP測定法及び補正対象のBNP測定法の両方により、第１の標準品及び第２の標準品の両方のBNP濃度を測定する工程、
（２）第１の標準品及び第２の標準品の各々について、以下の比：
［基準となるBNP測定法によるBNP濃度測定値］／[補正対象のBNP測定法によるBNP濃度測定値]
を求め、第１の標準品についての前記比を第１の補正係数として、及び第２の標準品についての前記比を第２の補正係数として、それぞれ決定する工程、及び
（３）前記第１の補正係数及び前記第２の補正係数を基に、補正対象のBNP測定法により測定した検体のBNP濃度測定値である実測値を、以下の数値：
(ｉ)前記実測値が補正対象のBNP測定法による第１の標準品のBNP濃度測定値以下である場合、前記実測値に第１の補正係数を乗じた数値、
(ｉｉ)前記実測値が補正対象のBNP測定法による第１の標準品のBNP濃度測定値より大きく且つ補正対象のBNP測定法による第２の標準品のBNP濃度測定値以下である場合は、前記実測値に以下の式：
第１の補正係数＋［（第２の補正係数−第１の補正係数）／（補正対象のBNP測定法による第２の標準品のBNP濃度測定値−補正対象のBNP測定法による第１の標準品のBNP濃度測定値）］×（実測値−補正対象のBNP測定法による第１の標準品のBNP濃度測定値）
で求めた補正係数を乗じた数値、及び
(ｉｉｉ)前記実測値が補正対象のBNP測定法による第２の標準品のBNP濃度測定値より大きい場合、前記実測値に第２の補正係数を乗じた数値、
に補正する工程、
を含む、〔８〕記載の方法
に関する。
【発明の効果】
【００１５】
本発明により、あるBNP測定法による検体のBNP濃度測定値及びそれとは別のBNP測定法による当該検体のBNP濃度測定値をBNP測定用標準品セットを用いて補正した場合に、従来の標準品を用いてこれらの測定値を補正した場合に比べて、補正後の測定値をより一致させることができる前記BNP測定用標準品セット、及び前記BNP測定用標準品セットを用いる、検体のBNP濃度測定値を補正する方法を提供することができる。
【図面の簡単な説明】
【００１６】
【図１（ａ）】図１（ａ）は、実施例１−１で測定した全測定領域についての、BNP濃度測定値とproBNPの存在比率の関係を示す。
【図１（ｂ）】図１（ｂ）は、実施例１−１で測定したBNP濃度測定値が250 pg/mL以下の領域についての、BNP濃度の測定値とproBNPの存在比率の関係を示す。
【図２】図２は、実施例１−１及び実施例１−２で測定した全測定領域についての、BNP濃度測定値とproBNPの存在比率の関係を示す。
【図３】図３は、市販BNP測定キットＡによる測定値に適用可能な、検体の測定値と補正係数の関係の一例を示す。
【図４】図４は、本発明の補正方法による補正前後の基準測定法によるBNP濃度測定値に対する市販BNP測定キットＡによるBNP濃度測定値の相関関係を示す。
【図５】図５は、本発明の補正方法による補正前後の基準測定法によるBNP濃度測定値に対する市販BNP測定キットＢによるBNP濃度測定値の相関関係を示す。
【図６】図６は、本発明の補正方法による補正前後の基準測定法によるBNP濃度測定値に対する市販BNP測定キットＣによるBNP濃度測定値の相関関係を示す。
【図７】図７は、基準測定法によるBNP濃度測定値に対する、本発明の補正方法による補正前後の市販BNP測定キットＡによるBNP濃度測定値の百分率を示す。
【図８】図８は、基準測定法によるBNP濃度測定値に対する、本発明の補正方法による補正前後の市販BNP測定キットＢによるBNP濃度測定値の百分率を示す。
【図９】図９は、基準測定法によるBNP濃度測定値に対する、本発明の補正方法による補正前後の市販BNP測定キットＣによるBNP濃度測定値の百分率を示す。
【図１０】図１０は、低濃度及び高濃度ともにproBNPのみを添加した標準品で補正した前後の基準測定法によるBNP濃度測定値に対する市販BNP測定キットＡによるBNP濃度測定値の相関関係を示す。
【図１１】図１１は、低濃度及び高濃度ともにproBNPのみを添加した標準品で補正した前後の基準測定法によるBNP濃度測定値に対する市販BNP測定キットＢによるBNP濃度測定値の相関関係を示す。
【図１２】図１２は、低濃度及び高濃度ともにproBNPのみを添加した標準品で補正した前後の基準測定法によるBNP濃度測定値に対する市販BNP測定キットＣによるBNP濃度測定値の相関関係を示す。
【図１３】図１３は、低濃度及び高濃度ともにBNP-32のみを添加した標準品で補正した前後の基準測定法によるBNP濃度測定値に対する市販BNP測定キットＡによるBNP濃度測定値の相関関係を示す。
【図１４】図１４は、低濃度及び高濃度ともにBNP-32のみを添加した標準品で補正した前後の基準測定法によるBNP濃度測定値に対する市販BNP測定キットＢによるBNP濃度測定値の相関関係を示す。
【図１５】図１５は、低濃度及び高濃度ともにBNP-32のみを添加した標準品で補正した前後の基準測定法によるBNP濃度測定値に対する市販BNP測定キットＣによるBNP濃度測定値の相関関係を示す。
【図１６】図１６は、低濃度及び高濃度ともにproBNPとBNP-32を1/1（proBNP/BNP-32）の比率で添加した標準品で補正した前後の基準測定法によるBNP濃度測定値に対する市販BNP測定キットＡによるBNP濃度測定値の相関関係を示す。
【図１７】図１７は、低濃度及び高濃度ともにproBNPとBNP-32を1/1（proBNP/BNP-32）の比率で添加した標準品で補正した前後の基準測定法によるBNP濃度測定値に対する市販BNP測定キットＢによるBNP濃度測定値の相関関係を示す。
【図１８】図１８は、低濃度及び高濃度ともにproBNPとBNP-32を1/1（proBNP/BNP-32）の比率で添加した標準品で補正した前後の基準測定法によるBNP濃度測定値に対する市販BNP測定キットＣによるBNP濃度測定値の相関関係を示す。
【図１９】図１９は、基準測定法によるBNP濃度測定値に対する、低濃度及び高濃度ともにproBNPのみを添加した標準品で補正した前後の市販BNP測定キットＡによるBNP濃度測定値の百分率を示す。
【図２０】図２０は、基準測定法によるBNP濃度測定値に対する、低濃度及び高濃度ともにproBNPのみを添加した標準品で補正した前後の市販BNP測定キットＢによるBNP濃度測定値の百分率を示す。
【図２１】図２１は、基準測定法によるBNP濃度測定値に対する、低濃度及び高濃度ともにproBNPのみを添加した標準品で補正した前後の市販BNP測定キットＣによるBNP濃度測定値の百分率を示す。
【図２２】図２２は、表面をシリコーン加工処理したガラス容器と未処理のガラス容器とでの、BNP-32のみを含む標準品を添加した凍結品及び凍結乾燥品の残存BNP活性を、ポリスチレン容器でのBNP活性に対する百分率として、各濃度の標準品の平均値で示す。
【図２３】図２３は、表面をシリコーン加工処理したガラス容器と未処理のガラス容器とでの、proBNPのみを含む標準品を添加した凍結品及び凍結乾燥品の残存BNP活性を、ポリスチレン容器でのBNP活性に対する百分率として、各濃度の標準品の平均値で示す。
【図２４】図２４は、アプロチニン添加量が異なる、凍結融解を繰り返した試料の残存BNP活性を、凍結融解を行わなかった試料のBNP活性に対する百分率として示す。
【発明を実施するための形態】
【００１７】
本発明は、BNP-32、proBNP及びプロテアーゼ阻害剤を含む標準品を複数含むBNP測定用標準品セットを提供する。
【００１８】
BNP測定用標準品セットは、BNP測定法によるBNP濃度測定値を補正するために使用され得る。また、BNP測定用標準品セットにより標準曲線を作成し、その標準曲線を用いて、検体のBNP濃度を測定し得る。
【００１９】
本明細書中で使用される場合、「proBNP」とは、proBNP1-108を意味し、108個のアミノ酸残基からなり（配列番号：１）、約12KDの分子量を有する。proBNPは、公知の方法に従って容易に調製することができ、例えば、大腸菌で組換え型proBNPとして発現することができる。また、「proBNP」はグリコシル化proBNPであってもよい。例えば、分子量約35KDのグリコシル化proBNPは、公知の方法に従い、HEK293細胞で発現させて得ることができる。尚、proBNPは合成されたものでもよい。
【００２０】
本明細書中で使用される場合、「BNP-32」とは、proBNP77-108を意味し、32個のアミノ酸残基からなり（配列番号：２）、約3.5KDの分子量を有する。BNP-32は、公知の方法に従って容易に合成することができる。尚、BNP-32は組換え体であってもよい。
【００２１】
本明細書中で使用される場合、「複数」とは、2以上の整数であり、2、3、4、5、6、7、又は8であり得、少なくとも２つ、少なくとも３つ、少なくとも４つ、少なくとも５つ、少なくとも６つ、少なくとも７つ、又は少なくとも８つであり得る。
【００２２】
本明細書中で使用される場合、「標準品」とは、前記BNP測定用標準品セットを構成する個々の標準品を意味し、複数の標準品を組み合わせて前記BNP測定用標準品セットとして使用する。標準品は、BNP-32、proBNP及びプロテアーゼ阻害剤を含む。標準品は、第１の標準品、第２の標準品、第３の標準品、第４の標準品若しくは第５の標準品等、又は低濃度域測定用のBNP測定用標準品若しくは高濃度域測定用のBNP測定用標準品等と記載することがある。本明細書において、標準品を、第１の標準品、第２の標準品、第３の標準品、第４の標準品、及び第５の標準品等と表した場合、数字が大きくなる程、BNP濃度が高くなることを表す  
【００２３】
本発明において、前記各標準品間のBNP-32/proBNP（モル比）は異なる。また、２つの標準品間において、モル比が高い標準品と低い標準品とを対比した場合、モル比が高いものは、低いものと比べて、BNP濃度がより低い。前記モル比は、第１の標準品の場合、好ましくは40/60〜60/40であり、より好ましくは45/55〜55/45（いずれもBNP-32/proBNP）であり、第２の標準品の場合、好ましくは15/85〜35/65であり、より好ましくは20/80〜30/70（いずれもBNP-32/proBNP）である。
【００２４】
第１の標準品のBNP濃度は、好ましくは20〜75 pg/mLであり、より好ましくは25〜60 pg/mLであり、さらに好ましくは30〜50 pg/mLである。また、第２の標準品のBNP濃度は、好ましくは150〜300 pg/mLであり、より好ましくは160〜250 pg/mLであり、さらに好ましくは180〜220 pg/mLである。本明細書において、「BNP濃度」は、BNP-32濃度とproBNP濃度との総和量を意味し、BNP濃度が、質量濃度である場合は、BNP-32濃度とproBNPのBNP-32換算量としての濃度との総和量で表される。
【００２５】
BNP測定用標準品セットに含まれる各標準品は、種々の方法により調製し得る。
BNP-32及びproBNPの精製品を添加して標準品を調製する場合は、添加するproBNP及びBNP-32の物質量（モル）に基づいて、標準品のBNP濃度及びBNP-32/proBNP（モル比）が定まる。BNP-32及びproBNPの精製品である場合、アミノ酸分析法、吸光度測定法、色素結合アッセイ、クロマトグラフィー法、電気泳動法等を利用して測定したproBNP及びBNP-32のモル濃度に基づいて適宜希釈して標準品を調製し、さらにプロテアーゼ阻害剤（例えばアプロチニン等）を添加する。
【００２６】
好ましくは、標準品は、上記のようにして調製されるBNP-32、proBNP及びプロテアーゼ阻害剤（例えばアプロチニン等）を混合し、そして適当な希釈液で希釈するか、又は濃縮することにより、BNP-32/proBNPのモル比及びBNP濃度を適宜調節して用いることができる。さらに、上記のようにして調製されるBNP-32及びproBNPを凍結乾燥に供したものに、使用時に希釈液を添加して用いることもできる。
【００２７】
「プロテアーゼ阻害剤」としては、アプロチニン、アンチパイン、ジイソプロピルフルオロリン酸、ロイペプチン、AEBSF（4-(2-Aminoethyl)benzenesulfonylfluoride）、PMSF（Phenylmethylsulfonyl Fluoride）等が挙げられる。
【００２８】
標準品の希釈液として、健常人血漿、緩衝液（例えばリン酸緩衝液、イミダゾール緩衝液、トリエタノールアミン−塩酸、クエン酸緩衝液、及びグッド緩衝液等）等が挙げられ得、タンパク質安定化剤（例えばウシ血清アルブミン（BSA）等）、塩化ナトリウム、及び防腐剤（例えばアジ化ナトリウム、プロクリン及び抗生物質等）等を含み得る。希釈液としては、健常人血漿を用いることが好ましく、これらはBNP（proBNP及びBNP-32等）を含まないものが好ましく、例えば、心臓疾患を有しない健常人の血漿は、通常、実質的にBNPを含まないので好ましい。ヒト血漿からBNPを除去する処理を行ったものを希釈液に用いてもよい。BNPを除去する方法として、例えば、proBNP及びBNP-32で共通する領域を認識する抗体（例えばBC203、及びKY-hBNP-II等）を結合させたポリスチレンビーズ等とヒト血漿を一定時間反応させる方法が挙げられる。
【００２９】
本発明の一態様は、前記BNP測定用標準品セットを含む、BNP測定キットを提供し得る。
【００３０】
本発明の一態様において、前記BNP測定用標準品セットは、BNP測定キットの一構成要素として含まれ得る。本明細書において、BNP測定キットは、BNP濃度を測定するものであれば何でもよく、例えば、イムノラジオメトリックアッセイ（IRMA）法を用いたBNP測定キット（非特許文献４）、MI02シオノギBNP (塩野義製薬)、アーキテクトBNP-JP (アボットジャパン)、パスファースト BNP (LSIメディエンス)、デタミナーCL-BNP (協和メデックス)、ケミルミBNP (シーメンスヘルスケアダイアグノスティクス)、ラピッドチップ BNP (積水メディカル)、Eテスト「TOSOH」II (BNP) (東ソー)、ルミパルス BNP (富士レビオ)、Triage BNP Test (Alere)、及びi-STAT BNP Test (Abbott POC)等が挙げられ得る。
【００３１】
前記BNP測定キットは、心不全の診断補助用、心臓疾患の治療効果の判定、又は心臓疾患のスクリーニング等に使用され得る。
【００３２】
本明細書中において使用される場合、「心臓疾患」とは、当該分野において用いられる最も広い意味で用いられ、心不全（十分量の血流を押し出す心臓機能の不全を原因とする症候群をいい、心拍出量の低下とそれに伴う静脈圧の増大、またその結果として生じる種々の臨床症状が含まれる）、不整脈（心房細動、及び心室細動等）、高血圧症等の疾患の総称である。心不全の原因としては、弁膜性心疾患、虚血性心疾患、先天性心疾患、拡張型心筋症、肥大型心筋症、心房中隔欠損症、心室中隔欠損症、及び症候性心疾患等を挙げることができる。  
【００３３】
本明細書中において使用される場合、「診断補助」とは、前記BNP測定キットを、単独で又は他の測定法等と組み合わせて使用することによって、心臓疾患の診断のための情報を提供することをいう。当該他の測定法等としては、心電図検査、心エコー検査、心臓カテーテル検査、BNP以外の血液検査、血圧測定、及び問診等が挙げられ得る。
【００３４】
本発明の一態様は、前記BNP測定用標準品セットを用いることを特徴とする、検体のBNP濃度を測定する方法を提供し得る。
【００３５】
本明細書中で使用される場合、「BNP濃度測定値」とは、BNP測定キットによるBNP濃度の測定値をいう。「BNP濃度測定値」と、「BNP濃度」（検体中に実際に含まれるBNP-32濃度とproBNP濃度との総和量）との関係は、同一検体の「BNP濃度」は同じであるが、同一検体に対する各測定キットの「BNP濃度測定値」は、BNP-32及びproBNPに対する各測定キットの親和性の違い、各BNP測定キットで使用されている標準品の違い、proBNPとBNP-32の存在比率が検体によって異なることなどに起因して、数値が変わり得る。
【００３６】
本明細書中で使用される場合、「補正」とは、補正対象のBNP測定法による検体のBNP濃度測定値を基準となるBNP測定法による当該検体のBNP濃度測定値と同等の値に変換することをいい、好ましくは、補正対象のBNP測定法による検体のBNP濃度測定値に、下記補正係数を乗じることをいう。
【００３７】
本発明の一態様は、前記BNP測定用標準品セットを用いることを特徴とする、検体のBNP濃度測定値を補正する方法を提供し得る。
【００３８】
前記検体としては，生体試料（例えば血液、血漿、血清、脳液、リンパ液、心嚢液、組織、細胞、又は尿）が挙げられ得、好ましくは血液又は血漿が挙げられ得る。検体は、好ましくはヒトに由来し得る。
【００３９】
本発明の一態様の方法は、下記工程（Ａ）及び（Ｂ）を含み得る。
【００４０】
本発明の一態様において、工程（Ａ）は、前記複数の標準品を用いて、基準となるBNP測定法によるBNP濃度測定値と補正対象のBNP測定法によるBNP濃度測定値の間の補正係数を、補正対象のBNP測定法によるBNP濃度測定値の範囲毎に決定する工程であり得る。
【００４１】
「基準となるBNP測定法」は、BNP-32、proBNPで共通する領域を検出することにより、BNP-32、proBNPの両方を定量できるBNP測定法であれば特に限定はないが、イムノラジオメトリックアッセイ（IRMA）法、蛍光免疫測定（FIA）法、又は化学発光酵素免疫測定（CLEIA）法であり得、本明細書において、この方法を、「基準測定法」ということもある。本明細書において、基準となるBNP測定法は、BNP濃度を測定するものであるが、診断や評価の精度が高いものとして広く認められた測定法を基準法とすることが通常である。IRMA法の測定手順・条件は、非特許文献４に記載のとおりであり得、蛍光免疫測定（FIA）法、化学発光酵素免疫測定（CLEIA）法については公知の測定方法・条件を使用することができる。
【００４２】
「補正対象のBNP測定法」は、BNP-32、proBNPで共通する領域を検出することにより、BNP-32、proBNPの両方を定量できるBNP測定法であれば特に限定はないが、化学発光酵素免疫測定（CLEIA）法（例えば、MI02シオノギBNP (塩野義製薬)による測定法、パスファースト BNP (LSIメディエンス)による測定法、デタミナーCL-BNP (協和メデックス)による測定法、又はルミパルス BNP (富士レビオ)による測定法等）、化学発光免疫測定（CLIA）法（例えば、アーキテクトBNP-JP (アボットジャパン)による測定法、又はケミルミBNP (シーメンスヘルスケアダイアグノスティクス)による測定法等）、蛍光酵素免疫測定（FEIA）法 (例えば、Eテスト「TOSOH」II (BNP) (東ソー)による測定法等)、蛍光免疫測定（FIA）法 (例えば、Triage BNP Test (Alere)による測定法等)、イムノクロマト法（例えば、ラピッドチップ BNP (積水メディカル)等）、酵素免疫測定（EIA）法（例えば、i-STAT BNP Test (Abbott POC)による測定法等）、電気化学発光免疫測定（ECLIA）法、固相酵素免疫測定（ELISA）法、放射免疫アッセイ（RIA）法、免疫凝集法等が挙げられ得る。本明細書において、補正対象のBNP測定法は、BNP濃度測定値を得るものである。各測定法による測定手順・条件としては、公知の測定手順・条件を使用することができ、前述のキットについては、各キットの添付文書に記載の測定手順・条件を使用することができる。
【００４３】
本明細書中で使用される場合、「補正係数」とは、補正対象のBNP測定法による検体のBNP濃度測定値を基準となるBNP測定法による当該検体のBNP濃度測定値と同等の値に変換するための係数をいい、好ましくは、補正対象のBNP測定法による検体のBNP濃度測定値に当該補正係数を乗じることにより、当該BNP濃度測定値を、基準となるBNP測定法による当該検体のBNP濃度測定値と同等の値に変換するための係数をいう。
【００４４】
各標準品についての補正係数は、基準となるBNP測定法及び補正対象のBNP測定法の両方により、各標準品のBNP濃度を測定し、以下の式
［基準となるBNP測定法によるBNP濃度測定値］／[補正対象のBNP測定法によるBNP濃度測定値]
で求められる。
【００４５】
補正対象のBNP測定法により測定した検体のBNP濃度測定値（実測値）に対する補正係数は、補正対象のBNP測定法によるBNP濃度測定値において当該実測値を最も小さい数値差で挟む（濃度が高い方の標準品のBNP濃度測定値と実測値が一致する場合を含む）二つの標準品についての補正係数及びその標準品の補正対象のBNP測定法によるBNP濃度測定値に基づいて線形補間することにより求められる。また、当該実測値が、第１の標準品の補正対象のBNP測定法によるBNP濃度測定値以下である場合は、第１の標準品についての補正係数が当該実測値に対する補正係数となり、当該実測値が、BNP濃度が最大である標準品の補正対象のBNP測定法によるBNP濃度測定値より大きい場合、その標準品についての補正係数が当該実測値に対する補正係数となる。
【００４６】
「BNP濃度測定値の範囲」は、前記各標準品の補正対象のBNP測定法によるBNP濃度測定値に応じて決定される。たとえば、第１の標準品及び第２の標準品により、補正を行う場合、前記各標準品のBNP濃度測定値を当該範囲の境界値として、0 pg/mL〜第１の標準品のBNP濃度測定値、第１の標準品のBNP濃度測定値〜第２の標準品のBNP濃度測定値、第２の標準品のBNP濃度測定値〜より高いBNP濃度測定値の各範囲に決定される。好ましくは、前記各標準品のBNP濃度を当該範囲の境界値としてとり得、例えば、0〜20 pg/mL、20〜150 pg/mL、150〜2000 pg/mL、0〜75 pg/mL、75〜300 pg/mL、300〜2000 pg/mL、0〜25 pg/mL、25〜160 pg/mL、160〜2000 pg/mL、0〜60 pg/mL、60〜240 pg/mL、240〜2000 pg/mL、0〜30 pg/mL、30〜180 pg/mL、180〜2000 pg/mL、0〜50 pg/mL、50〜220 pg/mL、220〜2000 pg/mL、又は0〜40 pg/mL、40〜200 pg/mL、200〜2000 pg/mL等が挙げられ得る。
【００４７】
本発明の一態様において、工程（Ｂ）は、前記補正係数を用いて、補正対象のBNP測定法による検体のBNP濃度測定値を補正する工程であり得る。
【００４８】
本発明の一態様の方法は、下記工程（１）〜（３）を含み得る。
【００４９】
本発明の一態様において、工程（１）は、基準となるBNP測定法及び補正対象のBNP測定法の両方により、第１の標準品及び第２の標準品の両方のBNP濃度を測定する工程であり得る。
【００５０】
本発明の一態様において、工程（２）は、第１の標準品及び第２の標準品の各々について、以下の比：
［基準となるBNP測定法によるBNP濃度測定値］／[補正対象のBNP測定法によるBNP濃度測定値]
を求め、第１の標準品についての前記比を第１の補正係数として、及び第２の標準品についての前記比を第２の補正係数として、それぞれ決定する工程であり得る。
【００５１】
本発明の一態様において、工程（３）は、前記第１の補正係数及び前記第２の補正係数を基に、補正対象のBNP測定法により測定した検体のBNP濃度測定値である実測値を、以下の数値：
(ｉ)前記実測値が補正対象のBNP測定法による第１の標準品のBNP濃度測定値以下である場合、前記実測値に第１の補正係数を乗じた数値、
(ｉｉ)前記実測値が補正対象のBNP測定法による第１の標準品のBNP濃度測定値より大きく且つ補正対象のBNP測定法による第２の標準品のBNP濃度測定値以下である場合は、
前記実測値に以下の式：
第１の補正係数＋［（第２の補正係数−第１の補正係数）／（補正対象のBNP測定法による第２の標準品のBNP濃度測定値−補正対象のBNP測定法による第１の標準品のBNP濃度測定値）］×（実測値−補正対象のBNP測定法による第１の標準品のBNP濃度測定値）
で求めた補正係数を乗じた数値、及び
(ｉｉｉ)前記実測値が補正対象のBNP測定法による第２の標準品のBNP濃度測定値より大きい場合、前記実測値に第２の補正係数を乗じた数値、
に補正する工程、
であり得る。
【００５２】
本明細書中で使用される場合、「実測値」とは、補正対象のBNP測定法により測定した検体のBNP濃度測定値をいう。
【００５３】
前記補正した数値を基に、標準曲線を作成することができ、前記標準曲線を用いて、検体のBNP濃度測定値から、検体に含まれるBNP濃度を得ることができる。また、前記標準曲線をBNP測定キットの添付文書に含めることができる。さらに、前記標準曲線から得られたBNP濃度の情報を、前記診断補助に利用することもできる。
【００５４】
本発明の一態様は、前記BNP測定用標準品セットを用いて算出された補正係数に関する情報を含む、BNP測定キットを提供し得る。
【００５５】
本明細書において、「BNP測定用標準品セットを用いて算出された補正係数に関する情報」とは、前記BNP測定用標準品セットを用いて算出される補正係数、補正方法、前記の補正した数値を基に作成した標準曲線などを含めた情報であり、これを用いて、補正対象のBNP測定法により測定した検体のBNP濃度測定値を補正することが可能であり、当該情報は、それを含む媒体により提供され、例えば、書面や電子媒体などにより提供され、バーコード、二次元コードなどの識別子により提供されることもある。
【００５６】
本発明の一態様の方法は、第１の標準品及び第２の標準品だけでなく、第３の標準品、第４の標準品、及び第５の標準品等を使用することもできる。この場合、第１の補正係数及び第２の補正係数に加えて、第３の標準品、第４の標準品、及び第５の標準品等にそれぞれ対応する第３の補正係数、第４の補正係数、及び第５の補正係数等を使用し得る。
【００５７】
例えば、第１の標準品〜第ｎの標準品を用いる場合（ここで、ｎは３以上の整数である）、前記工程（３）は、以下：
（３）前記第１の補正係数〜前記第ｎの補正係数を基に、補正対象のBNP測定法により測定した検体のBNP濃度測定値である実測値を、以下の数値：
(ｉ)前記実測値が補正対象のBNP測定法による第１の標準品のBNP濃度測定値以下である場合、前記実測値に第１の補正係数を乗じた数値、
(ｉｉ)前記実測値が補正対象のBNP測定法による第１の標準品のBNP濃度測定値より大きく且つ補正対象のBNP測定法による第２の標準品のBNP濃度測定値以下である場合は、前記実測値に以下の式：
第１の補正係数＋［（第２の補正係数−第１の補正係数）／（補正対象のBNP測定法による第２の標準品のBNP濃度測定値−補正対象のBNP測定法による第１の標準品のBNP濃度測定値）］×（実測値−補正対象のBNP測定法による第１の標準品のBNP濃度測定値）
で求めた補正係数を乗じた数値、
(ｉｉｉ)前記実測値が補正対象のBNP測定法による第２の標準品のBNP濃度測定値より大きく且つ補正対象のBNP測定法による第３の標準品のBNP濃度測定値以下である場合は、前記実測値に以下の式：
第２の補正係数＋［（第３の補正係数−第２の補正係数）／（補正対象のBNP測定法による第３の標準品のBNP濃度測定値−補正対象のBNP測定法による第２の標準品のBNP濃度測定値）］×（実測値−補正対象のBNP測定法による第２の標準品のBNP濃度測定値）
で求めた補正係数を乗じた数値、
・・・
(ｉ×ｎ)前記実測値が補正対象のBNP測定法による第ｎ−１の標準品のBNP濃度測定値より大きく且つ補正対象のBNP測定法による第ｎの標準品のBNP濃度測定値以下である場合は、前記実測値に以下の式：
第ｎ−１の補正係数＋［（第ｎの補正係数−第ｎ−１の補正係数）／（補正対象のBNP測定法による第ｎの標準品のBNP濃度測定値−補正対象のBNP測定法による第ｎ−１の標準品のBNP濃度測定値）］×（実測値−補正対象のBNP測定法による第ｎ−１の標準品のBNP濃度測定値）
で求めた補正係数を乗じた数値、及び
(ｉ×［ｎ＋１］)前記実測値が補正対象のBNP測定法による第ｎの標準品のBNP濃度測定値より大きい場合、前記実測値に第ｎの補正係数を乗じた数値、
に補正する工程
のとおりとなり得る。
【００５８】
本発明の一態様において、前記工程（１）及び（２）は、前記工程（Ａ）に対応し得、前記工程（３）は、前記工程（Ｂ）に対応し得る。
【００５９】
本発明の一態様は、本明細書及び下記の実施例に列挙された全ての一般的態様及び／又は具体的態様の全ての組み合わせを含み得る。
【実施例】
【００６０】
以下に、実施例を挙げて本発明をより詳細に説明するが、本発明はこれらの実施例に限定されるものではない。
【００６１】
実施例１  血漿検体中のproBNPの存在比率の検討
（実施例１−１）
1.1.1  血漿検体中のproBNPの存在比率を測定するためのアッセイキット
BNP-32は測定せずproBNPのみを特異的に測定するキットＡ、及びBNP-32とproBNPの両方を測定するキットＢで、同一検体をそれぞれ測定し、検体中のproBNPの存在比率を求めた。上記のアッセイキットＡ、Ｂは、いずれも2ステップのサンドイッチアッセイを原理とする。ストレプトアビジン（ナカライテスク）を固定化したプレートNunc C8 MaxiSorp（Thermo Fisher Scientific社、アメリカ）に、BNP-32及びproBNPで共通する構造部分であるC末端部分を認識する捕捉抗体BC203（ＦＥＲＭ ＢＰ−３５１５）のビオチン標識体を添加し、プレートに捕捉抗体を結合させた。次いで、検体を添加して検体中のBNP-32及びproBNPを捕捉させた。洗浄して未反応物を除去した後、proBNPのみを特異的に測定するキットＡでは、proBNPのアミノ酸配列13-20位付近を認識する抗体18H5（HyTest社、フィンランド）のALP標識物を添加し、BNP-32及びproBNPのいずれも測定するキットＢでは、BNP-32及びproBNPの共通構造である環状部分を認識する抗体KY-hBNP-II（ＦＥＲＭ ＢＰ−２８６３）のALP標識物を添加した。ALPは市販品（キッコーマン）を用いた。洗浄後、発光基質溶液CDP/E（Applied Biosystems社、アメリカ）を加えて、発光強度を測定することで、キットＡではproBNPのみを定量し、キットＢではBNP-32及びproBNPの総和量を定量し、両定量値を、各血漿検体中のproBNPの存在比率を求める目的に用いた。
【００６２】
1.1,2  血漿検体中のBNP濃度を測定するためのイムノラジオメトリックアッセイ（IRMA）法によるBNP測定キット
非特許文献４に記載のBNP測定キットを用いた。本キットもproBNP及びBNP-32の両方を検出するアッセイ法を用いており、本キットによる方法は、血漿中BNP濃度測定の基準測定法に該当することから、各検体の血漿中BNP濃度自体は本キットで測定した。尚、BNP濃度測定値は、本実施例を通じてBNP-32濃度とproBNPのBNP-32換算量としての濃度との総和量であるBNP-32換算値で表示している。
【００６３】
1.1.3  検体
心臓疾患のある患者及び心臓疾患のない患者から採取した合計58名分の血漿検体を使用した。
【００６４】
1.1.4  血漿検体中の血漿中BNP濃度に対するproBNPの存在比率の測定
血漿検体を、非特許文献４の記載に従ってイムノラジオメトリックアッセイ法によるBNP測定キット（血漿中BNP濃度の測定）で測定し、前記1.1.1に記載したとおりにproBNPの存在比率を測定するアッセイキット（キットＡ及びＢ）で測定した。血漿中BNP濃度の測定値を横軸、proBNPの存在比率を縦軸にプロットした結果を図１（ａ）及び図１（ｂ）に示す。血漿中BNP濃度の測定値が20 pg/mL未満、25〜60 pg/mL、75〜150 pg/mL、160〜250 pg/mL及び300 pg/mL以上の各領域でのproBNPの存在比率は、それぞれ38%〜58% (平均47%)、34%〜81% (平均50%)、42%〜74% (平均57%)、44%〜81% (平均61%)及び62%〜78% (平均69%)となり、血漿中BNP濃度の測定値が大きいほどproBNPの存在比率が高くなる傾向が示された。この結果から、BNP濃度によってproBNPの存在比率が異なる標準品が必要であることがわかった。
【００６５】
（実施例１−２）
実施例１−１と同様の方法で、さらに、心臓疾患のある患者及び心臓疾患のない患者から採取した54名分の血漿検体を使用して、血漿中BNP濃度及びproBNPの存在比率を測定した。実施例１−１及び実施例１−２で得られた、合計112名分の血漿中BNP濃度の測定値を横軸、proBNPの存在比率を縦軸にプロットした結果を図２に示す。実施例１−１と同様に、血漿中BNP濃度の測定値が大きいほどproBNPの存在比率が高くなる傾向が示された。
【００６６】
実施例２  BNP標準品による補正効果の検討
2.1  検体
心臓疾患のある患者及び心臓疾患のない患者から採取した合計10名の血漿検体を使用した。
【００６７】
2.2  本発明の標準品セットの調製
市販の健常人血漿に対して、BNPを除去する処理を行った後、市販のグリコシル化proBNP (HyTest社、フィンランド)及び合成BNP-32 (ペプチド研究所、日本)を、以下のように添加して、本発明の標準品セットを調製した。低濃度域測定用のBNP測定用標準品（以下、「低濃度標準品」ともいう）については、BNP濃度を40 pg/mL（BNP-32換算値)とし、グリコシル化proBNP/BNP-32のモル比が1/1 (proBNP存在比率50%)となるよう、これらを前記処理済み血漿に添加した。高濃度域測定用のBNP測定用標準品（以下、「高濃度標準品」ともいう）については、BNP濃度を200 pg/mL（BNP-32換算値)とし、グリコシル化proBNP/BNP-32のモル比が3/1 (proBNP存在比率75%)となるよう、これらを前記処理済み血漿に添加した。これら２つを合わせて本発明の標準品セット又は本発明品という。本実施例を通じて、添加したproBNP及びBNP-32の物質量（モル）は、アミノ酸分析を用いて決定し、これを用いて各標準品のBNP濃度を決定した。
【００６８】
2.3  先行技術の標準品セットの調製
一方、先行技術の標準品セットとして、市販の健常人血漿に対して、BNPを除去する処理を行った後、グリコシル化proBNPのみを添加したもの、BNP-32のみを添加したもの、又はグリコシル化proBNPとBNP-32のモル比が1/1（proBNP/BNP-32）となるよう添加したものについて、それぞれ低濃度域測定用のBNP測定用標準品(40 pg/mL、BNP-32換算値)及び高濃度域測定用のBNP測定用標準品(200 pg/mL、BNP-32換算値)を調製した。
【００６９】
2.4  検体及び各標準品セットの各標準品の測定
血漿検体及び各標準品セットの各標準品のBNP濃度測定値を、BNPの基準測定法であるイムノラジオメトリックアッセイ法によるBNP測定キットとともに、３種類の市販のBNP測定キット「市販BNP測定キットＡ」、「市販BNP測定キットＢ」及び「市販BNP測定キットＣ」で測定した。これらのBNP測定キットによる測定を、IRMA法については非特許文献４の記載に従って、市販BNP測定キットについては各キットの添付文書に従って行った。尚、市販BNP測定キットＡは化学発光酵素免疫測定法（CLEIA）、市販BNP測定キットＢ及び市販BNP測定キットＣはいずれも化学発光免疫測定法（CLIA）による測定法である。以下、これら３つのBNP測定キットのそれぞれを指して、「各BNP測定キット」という場合もある。
【００７０】
2.5  補正係数の算出及び測定値の補正
基準測定法であるイムノラジオメトリックアッセイ法によるBNP測定キットによる各標準品の測定値に対して、各BNP測定キットによる当該標準品の測定値を比較し、標準品セットの種類ごとに、低濃度標準品及び高濃度標準品それぞれについて、測定値の比「基準測定法による測定値／各BNP測定キットによる測定値」を算出した。そして、各BNP測定キットについての前記比を用いて、当該BNP測定キットによる各検体の測定値を以下のように補正した。
(i)検体の測定値（実測値）が当該BNP測定キットによる低濃度標準品の測定値以下の検体については、検体の測定値に低濃度標準品について算出した比を乗じた。
(ii)検体の測定値が当該BNP測定キットによる低濃度標準品の測定値より大きく且つ当該BNP測定キットによる高濃度標準品の測定値以下である検体については、検体の測定値に、低濃度標準品及び高濃度標準品について算出したそれぞれの比から、以下の式：
低濃度標準品について算出した比＋［（高濃度標準品について算出した比−低濃度標準品について算出した比）／（当該BNP測定キットによる高濃度標準品の測定値−当該BNP測定キットによる低濃度標準品の測定値）］×（検体の測定値−当該BNP測定キットによる低濃度標準品の測定値）
を用いて計算した係数を乗じた。
(iii)検体の測定値が当該BNP測定キットによる高濃度標準品の測定値より大きい検体については、検体の測定値に、高濃度標準品について算出した比を乗じた。
市販BNP測定キットＡによる本発明の低濃度標準品及び高濃度標準品の測定値に基づいた、検体の測定値と補正係数の関係の一例を図３に示す。
【００７１】
2.6  測定値補正の効果
（１）各BNP測定キットによる血漿検体の測定結果
前記基準測定法及び各BNP測定キットによる血漿検体及び各標準品の測定値は、それぞれ表１及び表２のとおりであった。
【表１】
2020197531.tif 000003
【表２】
2020197531.tif 000004
基準測定法による血漿検体の測定値に対する各BNP測定キットによる当該血漿検体の測定値の相関は、
市販BNP測定キットＡでy = 0.791x + 4.859（図４）、
市販BNP測定キットＢでy = 0.924x + 12.423（図５）、
市販BNP測定キットＣでy = 0.656x + 0.763（図６）
であった。これら３つの相関式の傾きの平均は0.790であり、変動係数（CV%）は17.0%であった。尚、本実施例を通じて、各BNP測定キットの相関は、全て最小二乗法による直線一次回帰により求めた。
【００７２】
（２）本発明の各標準品の補正係数の算出
基準測定法による本発明の各標準品の測定値を、各BNP測定キットによる当該標準品の測定値で除算して算出した補正係数は表３のとおりである。
【表３】
2020197531.tif 000005
【００７３】
（３）本発明の補正方法による各BNP測定キットの測定値の補正
前記2.5で示した補正方法に則って、各BNP測定キットによる血漿検体の測定値を補正した結果、基準測定法による血漿検体の測定値に対する各BNP測定キットによる当該血漿検体の測定値の相関は、
市販BNP測定キットＡでy = 0.891x + 12.724（図４）、
市販BNP測定キットＢでy = 0.960x + 6.306（図５）、
市販BNP測定キットＣでy = 1.006x + 2.894（図６）
であった。これら３つの相関式の傾きの平均は0.952であり、補正前より傾きが1に近づき、変動係数も6.1%と補正前（17.0%）の36%となり、各BNP測定キット間での傾きの差も小さくなった。これらから、本発明の補正方法により、各BNP測定キット間の測定値の乖離がかなり小さくなることが理解できる。さらに、各BNP測定キットによる個々のBNP濃度測定値は、補正後には基準測定法に対する比率が100%に近づいた（図７〜図９）。
【００７４】
補正前後での基準測定法に対する各BNP測定キットの相関グラフを図４〜図６に示す。また、補正前後での各BNP測定キットによるBNP濃度測定値の基準測定法に対する百分率のグラフを図７〜図９に示す。図４〜図９において、横軸は基準測定法によるBNP濃度測定値、及び図４〜図６の縦軸は各BNP測定キットによるBNP濃度測定値、図７〜図９の縦軸は各BNP測定キットによるBNP濃度測定値の基準測定法に対する百分率を示し、補正前を白抜きの菱形記号(◇)及び補正後を塗りつぶしの菱型記号(◆)で示す。
【００７５】
（４）先行技術のBNP標準品での比較例
一方、基準測定法による先行技術の各標準品の測定値を、各BNP測定キットによる当該標準品の測定値で除算して算出した補正係数は表４のとおりである。
【表４】
2020197531.tif 000006
本発明の標準品セットによる補正と同様に、先行技術の各標準品の測定値に基づいて各BNP測定キットによる血漿検体の測定値を補正した結果は以下のとおりとなった。
(i)グリコシル化proBNPのみの標準品で補正した場合、基準測定法による血漿検体の測定値に対する各BNP測定キットによる当該血漿検体の測定値の相関は、
市販BNP測定キットＡでy = 0.720x + 7.930（図１０）、
市販BNP測定キットＢでy = 1.045x + 3.379（図１１）、
市販BNP測定キットＣでy = 0.944x - 1.012（図１２）
となった。これら３つの相関式の傾きの平均は0.903、変動係数は18.4%であり、本発明の補正方法による補正後の変動係数（6.1%）の約3.0倍であった。また、補正後の各BNP測定キットによる個々のBNP濃度測定値について、検体によっては、補正によって逆に、基準測定法に対する比率が100%から離れてしまう例を認めた（図１９〜図２１）。
(ii)BNP-32のみの標準品で補正した場合、基準測定法による血漿検体の測定値に対する各BNP測定キットによる当該血漿検体の測定値の相関は、
市販BNP測定キットＡでy = 0.770x + 3.756（図１３）、
市販BNP測定キットＢでy = 0.716x + 3.391（図１４）、
市販BNP測定キットＣでy = 1.437x - 12.054（図１５）
となった。これら３つの相関式の傾きの平均は0.974、変動係数は41.2%であり、本発明の補正方法による補正後の変動係数（6.1%）の約6.8倍であった。
(iii)低濃度及び高濃度ともにグリコシル化proBNPとBNP-32を1/1（proBNP/BNP-32）の比率で添加した標準品で補正した場合、基準測定法による血漿検体の測定値に対する各BNP測定キットによる当該血漿検体の測定値の相関は、
市販BNP測定キットＡでy = 0.708x + 9.983（図１６）、
市販BNP測定キットＢでy = 0.854x + 6.063（図１７）、
市販BNP測定キットＣでy = 1.127x - 0.456（図１８）
となった。これら３つの相関式の傾きの平均は0.895、変動係数は23.7%であり、本発明の補正方法による補正後の変動係数（6.1%）の約3.9倍であった。
【００７６】
上記（i）、(ii)及び(iii)それぞれの標準品セットにより補正した場合の基準測定法に対する各BNP測定キットの相関グラフを図１０〜図１８に示す。また、本発明の補正に最も近い補正の効果が認められた上記(i)の標準品セットによる補正前後での各BNP測定キットによるBNP濃度測定値の基準測定法に対する百分率のグラフを図１９〜図２１に示す。図１０〜図２１において、横軸は基準測定法による測定値、及び図１０〜図１８の縦軸は各BNP測定キットによる測定値、図１９〜図２１の縦軸は各BNP測定キットによるBNP濃度測定値の基準測定法に対する百分率を示し、補正前を白抜きの菱形記号(◇)及び補正後を塗りつぶしの菱型記号(◆)で示す。  
【００７７】
以上のとおり、先行技術による補正は、各BNP測定キットの測定値の乖離が、相関式の傾きの変動係数で表した場合、本発明の補正方法による補正の３倍以上に大きくなった。
【００７８】
実施例３  BNP標準品の安定化効果の検討
（実施例３−１）
実施例２の2.2の方法と同様に、市販の健常人血漿に対して、BNPを除去する処理を行った後、血漿1 mLあたり1000 KIU（Kallikrein Inhibitor Units：カリクレイン阻害剤単位）のアプロチニン（Sigma社、アメリカ）を添加し、市販のグリコシル化proBNPのみ又は合成BNP-32のみを、それぞれBNP濃度が40又は500 pg/mL（BNP-32換算値)となるよう、前記処理済み血漿に添加した。調製した各標準品0.5 mLずつを、表面をシリコーン加工処理したガラス容器及び未処理のガラス容器、並びにポリプロピレン製の容器に添加した。
各標準品を添加した各ガラス容器の一部とポリプロピレン製の容器は-80℃で凍結保存した。また、各標準品を添加した各ガラス容器の残りは、凍結乾燥して水分を除去した。凍結保存した各標準品を融解した試料、及び凍結乾燥した各標準品に水を添加して調製した試料について、実施例２の2.5に記載の基準測定法であるイムノラジオメトリックアッセイ法によるBNP測定キットを用いて、BNP濃度を測定した。それぞれの試料のBNP濃度は表５のとおりであった。
【表５】
2020197531.tif 000007
ポリプロピレン製の容器に添加した試料のBNP濃度を100%としたときの残存BNP活性は、シリコーン加工処理していないガラス容器において、BNP-32のみを含む標準品では82%〜86%に低下していたのに対して、シリコーン加工処理したガラス容器においては、92%〜94%を保っていた（図２２）。
proBNPのみを含む標準品でも、シリコーン加工処理していないガラス容器においては、残存BNP活性が92%〜96%に低下したのに対して、シリコーン加工処理したガラス容器においては、95%〜101%の活性を保っていた（図２３）。
ガラス容器をシリコーン処理加工することで、特にBNP-32ついて、活性の低下を抑える効果が示された。
【００７９】
（実施例３−２）
実施例２の2.2の方法と同様に、市販の健常人血漿に対して、BNPを除去する処理を行った後、血漿1 mLあたり1000又は2000 KIUのアプロチニンを添加した。それぞれのアプロチニン添加血漿に対し、BNP-32及びproBNPを1:1のモル比で200 pg/mL添加した標準品を調製した。このアプロチニン添加量が異なる標準品をそれぞれポリプロピレン製の容器に添加して凍結し、その一部について、融解と凍結を1回又は3回繰り返した。その後、融解・凍結を行っていない凍結品を含めて融解した各試料について、基準測定法のBNP測定キットを用いてBNP濃度を測定した。
アプロチニンの添加量が1000 KIU/mL標準品では、融解と凍結を繰り返すことで活性が7%〜12%低下したのに対して、アプロチニンの添加量が2000 KIU/mL標準品では、活性の低下が1%に留まった（図２４）。
【産業上の利用可能性】
【００８０】
BNP-32、proBNP及びプロテアーゼ阻害剤を含む標準品を複数含むBNP測定用標準品セットを用いて、異なるBNP測定キットのBNP濃度測定値を補正することにより、従来のBNP測定用標準品セットでのこれらのBNP測定キットのBNP濃度測定値を補正した場合に比べて、これらのBNP測定キット間で補正後の測定値をより一致させることができる。
【図１（ａ）】
2020197531.tif 000008
【図１（ｂ）】
2020197531.tif 000009
【図２】
2020197531.tif 000010
【図３】
2020197531.tif 000011
【図４】
2020197531.tif 000012
【図５】
2020197531.tif 000013
【図６】
2020197531.tif 000014
【図７】
2020197531.tif 000015
【図８】
2020197531.tif 000016
【図９】
2020197531.tif 000017
【図１０】
2020197531.tif 000018
【図１１】
2020197531.tif 000019
【図１２】
2020197531.tif 000020
【図１３】
2020197531.tif 000021
【図１４】
2020197531.tif 000022
【図１５】
2020197531.tif 000023
【図１６】
2020197531.tif 000024
【図１７】
2020197531.tif 000025
【図１８】
2020197531.tif 000026
【図１９】
2020197531.tif 000027
【図２０】
2020197531.tif 000028
【図２１】
2020197531.tif 000029
【図２２】
2020197531.tif 000030
【図２３】
2020197531.tif 000031
【図２４】
2020197531.tif 000032
【配列表】
2020197531000001.app